(57)【要約】【課題】陳列状態を簡単に転換でき、製造時の作業性にも優れた陳列具を提供する。【解決手段】複数段のトレー１，２を連結し、これらのトレー１，２を相対移動させることにより、トレー１，２が上下に並んで吊り下げられるハンガー状態の陳列と、階段状に並んで設置されるカウンター状態の陳列とに兼用可能な陳列具において、上段側トレー１の後壁の下端と、下段側トレー２の後壁の上端とを後中板４を介して繋ぐことにより、背壁３を形成して、上下のトレー１，２を一体化し、上段側トレー１の後部に下方へ向かう脚材３１を取り付けておき、ハンガー状態では、背壁３を垂直に伸ばし、その後方に脚材３１を重ねて、上下のトレー１，２の連結部分を補強し、カウンター状態では、後中板４を下段側トレー２から後方へ折り曲げ、上段側トレー１を後中板４の上に載せ、脚材３１を下方へ突き出させて接地させることにより、上段側トレー１を支持する。【選択図】図３
2006212188.tif 000002
【特許請求の範囲】
【請求項１】
複数段のトレーを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの後壁の下端と、下段側トレーの後壁の上端とを後中板を介して繋ぐことにより、背壁を形成して、上下のトレーを一体化し、上段側トレーの後部に下方へ向かう脚材を取り付けておき、ハンガー状態では、背壁を垂直に伸ばし、その後方に脚材を重ねて、上下のトレーの連結部分を補強し、カウンター状態では、後中板を下段側トレーから後方へ折り曲げ、上段側トレーを後中板の上に載せ、脚材を下方へ突き出させて接地させることにより、上段側トレーを支持するようにしたことを特徴とする陳列具。
【請求項２】
請求項１に記載の陳列具において、脚材の内部に倒立門形の切込を入れ、下段側トレーの後壁に揺動自在の支持板を取り付け、その先端に突設した差込片を脚材の切込に差し込み、ハンガー状態では、支持板を上方へ向けて後中板の後方に重ね、その後方に脚材を重ねて、上段側トレーの後部に差込片を差し込むことにより、上下のトレーの連結部分をさらに補強し、カウンター状態では、差込片を上段側トレーの後部から引き抜き、支持板を後方へ揺動させ、差込片を脚材の切込の下端まで移動させて、脚材を固定するようにしたことを特徴とする陳列具。
【請求項３】
請求項１に記載の陳列具において、脚材として、脚板と支持板とを上下に連設すると共に、脚板の両側に補強片を連設し、脚材の上下端部を上段側トレー及び下段側トレーの後部にそれぞれ取り付け、補強片を後方へ折り曲げて脚板を補強したものを使用し、ハンガー状態では、脚板と支持板とを伸ばして、脚材を背壁に係止し、カウンター状態では、その係止を解除して、脚板と支持板とを屈曲させるようにしたことを特徴とする陳列具。
【請求項４】
請求項１に記載の陳列具において、脚材として、扁平に折畳可能な角筒状のものを使用し、ハンガー状態では、脚材を折り畳んで背壁に係止し、カウンター状態では、その係止を解除して、脚材を角筒状に組み立てるようにしたことを特徴とする陳列具。
【発明の詳細な説明】
【技術分野】
【０００１】
この発明は、店頭に吊下又は設置してトレーに乗せた商品を陳列する陳列具に関するものである。
【背景技術】
【０００２】
例えば、下記特許文献１には、上下のトレーを背壁を介して連結し、これらのトレーを背壁の折り曲げに伴い、相対的に回転させつつ移動させることにより、トレーが上下に並んで吊り下げられるハンガー状態の陳列と、階段状に並んで設置されるカウンター状態の陳列とに兼用可能とした紙製の陳列具が記載されている。
【０００３】
このカウンター状態では、背壁の下部を下段側トレーの後壁から分離して接地させ、上段側トレーの底壁が背壁の下部から浮き上がった状態とし、上段側トレーの前端下部に設けた差込穴に、下段側トレーの後壁上部に設けた突起を差し込んで、上段側トレーを定位置に保持するようになっている。
【０００４】
【特許文献１】実開平３−９４１５６号公報
【発明の開示】
【発明が解決しようとする課題】
【０００５】
しかしながら、上記のような陳列具では、ハンガー状態の陳列とカウンター状態の陳列との転換に手間がかかり、また、製造に際し、別体となった上下のトレーを背壁で接続するのに手間がかかるという問題もある。
【０００６】
そこで、この発明は、陳列状態を簡単に転換することができ、製造時の作業性にも優れた陳列具を提供することを課題とする。
【課題を解決するための手段】
【０００７】
上記課題を解決するため、この発明は、複数段のトレーを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの後壁の下端と、下段側トレーの後壁の上端とを後中板を介して繋ぐことにより、背壁を形成して、上下のトレーを一体化し、上段側トレーの後部に下方へ向かう脚材を取り付けておき、ハンガー状態では、背壁を垂直に伸ばし、その後方に脚材を重ねて、上下のトレーの連結部分を補強し、カウンター状態では、後中板を下段側トレーから後方へ折り曲げ、上段側トレーを後中板の上に載せ、脚材を下方へ突き出させて接地させることにより、上段側トレーを支持するようにしたのである。
【０００８】
また、脚材の内部に倒立門形の切込を入れ、下段側トレーの後壁に揺動自在の支持板を取り付け、その先端に突設した差込片を脚材の切込に差し込み、ハンガー状態では、支持板を上方へ向けて後中板の後方に重ね、その後方に脚材を重ねて、上段側トレーの後部に差込片を差し込むことにより、上下のトレーの連結部分をさらに補強し、カウンター状態では、差込片を上段側トレーの後部から引き抜き、支持板を後方へ揺動させ、差込片を脚材の切込の下端まで移動させて、脚材を固定するようにしたのである。
【０００９】
また、脚材として、脚板と支持板とを上下に連設すると共に、脚板の両側に補強片を連設し、脚材の上下端部を上段側トレー及び下段側トレーの後部にそれぞれ取り付け、補強片を後方へ折り曲げて脚板を補強したものを使用し、ハンガー状態では、脚板と支持板とを伸ばして、脚材を背壁に係止し、カウンター状態では、その係止を解除して、脚板と支持板とを屈曲させるようにしたのである。
【００１０】
そのほか、脚材として、扁平に折畳可能な角筒状のものを使用し、ハンガー状態では、脚材を折り畳んで背壁に係止し、カウンター状態では、その係止を解除して、脚材を角筒状に組み立てるようにしたのである。
【発明の効果】
【００１１】
このように構成した陳列具では、後中板の部分で背壁を屈伸させて、脚材を出没させるだけで、ハンガー状態とカウンター状態との転換を行うことができ、店頭でのディスプレイ作業を迅速に行うことができる。また、カウンター状態では、上段側トレーの底壁が後中板で全体的に支持されるので、安定した状態で商品を陳列することができる。
【００１２】
また、製造に際し、一体となった上下のトレーに脚材等を取り付けるだけでよく、作業性に優れ、低コストで製造することができる。
【発明を実施するための最良の形態】
【００１３】
まず、この発明の第１実施形態を図１乃至図３に基づいて説明する。
【００１４】
この陳列具は、図１に示すような板紙製のブランクから成り、その本体は、上段側トレー１と、下段側トレー２とが背壁３を介して繋がれた構成となっている。また、本体とは別に脚材３１及び支持板３２が用意される。
【００１５】
上段側トレー１の部分では、前壁１１の両側に側壁１２が、一方の側壁１２の外側に背壁３の上部をなす後壁１３がそれぞれ連設され、後壁１３の外側に継代１４が連設されている。前壁１１の上端には内前板１１ａ及び底壁１５が順次連設され、底壁１５の両側には側当片１５ａが、先端には後当片１５ｂ，１５ｃがそれぞれ連設されている。
【００１６】
側壁１２の下部は前壁１１の下端よりも下方へ少し延長され、後壁１３は側壁１２の上端よりも上方へ延長されている。後壁１３の上端には後重板１３ａが連設され、後壁１３及び後重板１３ａには、その境界を挟んで両側部に紐穴１３ｂが対称に設けられている。また、後壁１３には、前壁１１の下端位置に対応して、門形の切込により舌片１３ｃが設けられている。
【００１７】
下段側トレー２の部分では、前壁２１の両側に側壁２２が、一方の側壁２２の外側に背壁３の下部をなす後壁２３がそれぞれ連設され、後壁２３の外側に継代２４が連設されている。前壁２１の上端には内前板２１ａ及び底壁２５が順次連設され、前壁２１、各側壁２２及び後壁２３の下端には外底板２５ａ，２５ｂ，２５ｃがそれぞれ連設されている。
【００１８】
そして、上段側トレー１の後壁１３の下端と、下段側トレー２の後壁２３上端とは、後中板４を介して繋がれ、トレー１，２は、背壁３の部分で繋がった一体のブランクから成るものとされている。
【００１９】
一方、脚材３１の上端部及び下端部には、それぞれ糊代３１ａ及び折重片３１ｂが設けられ、脚材３１の内部には倒立門形の切込３１ｃが入れられている。切込３１ｃの内側には舌片が形成され、その下端には係止突起３１ｄが設けられている。
【００２０】
また、支持板３２の下端部には糊代３２ａが設けられ、その上端には、肩部を介して幅が狭くなった差込片３２ｂが突設されている。差込片３２ｂの基部には、係止穴３２ｃが設けられている。
【００２１】
上記ブランクから陳列具を組み立てるには、図２に示すように、本体のトレー１において、前壁１１、一対の側壁１２及び後壁１３を角筒状に折り曲げて、継代１４を反対側の側壁１２に貼り付け、また、後重板１３ａを後壁１３の前側へ折り曲げて貼り付ける。
【００２２】
次に、内前板１１ａを前壁１１の内側に沿うように下方へ折り曲げ、底壁１５を後方へ折り曲げて、側当片１５ａを側壁１２の内側に沿わせるように上方へ折り曲げつつ、後当片１５ｂ，１５ｃを上方及び下方へ順次折り曲げて、その間に舌片１３ｃを挟み込む。
【００２３】
また、トレー２において、一対の側壁２２及び後壁２３を角筒状に折り曲げて、継代２４を反対側の側壁２２に貼り付け、外底板２５ａ，２５ｂ，２５ｃを組み合わせ、内前板２１ａを前壁２１の内側に沿うように下方へ折り曲げ、底壁２５を後方へ折り曲げて、外底板２５ａ，２５ｂ，２５ｃの上に重ねる。
【００２４】
そして、脚材３１の糊代３１ａをトレー１の下部に沿って後中板４の背面に貼り付け、折重片３１ｂを折り曲げてその上方に貼り合わせることにより、脚材３１の下端部を補強する。また、支持板３２の糊代３２ａをトレー２の後壁２３の背面中間部に貼り付け、差込片３２ｂを脚材３１の切込３１ｃに差し込んでおく。
【００２５】
上記のように組み立てた陳列具では、紐穴１３ｂに紐１６を挿通し、トレー１，２が上下に並んで吊り下げられるハンガー状態で商品を陳列する際、後中板４と後壁１３，２３とが同一面となるように背壁３を垂直に伸ばして、背壁３の後方に支持板３２を上方へ向けて重ね、その後方に脚材３１を重ねる。
【００２６】
このハンガー状態においては、上段側トレー１の後当片１５ｂ，１５ｃの間に、支持板３２の差込片３２ｂを差し込んでおくと、下段側トレー２の揺動が阻止されるので、トレー２に商品を収納したとき、トレー２が前のめりになる現象が防止される。
【００２７】
また、この状態から、トレー１，２が階段状に並んで設置されるカウンター状態に転換するには、差込片３２ｂを上段側トレー１の後当片１５ｂ，１５ｃの間から引き抜き、図３に示すように、後中板４を下段側トレー２から後方へ折り曲げて、上段側トレー１を下降させ、支持板３２の揺動に伴い、差込片３２ｂを切込３１ｃの下端まで移動させて、係止突起３１ｄを係止穴３２ｃに係合させる。
【００２８】
このカウンター状態においては、上段側トレー１の底壁１５が後中板４の上に載置されて、全体的に支持されると共に、両側壁１２がトレー２を抱き込み、トレー１の後部から脚材３１が下方へ突き出して、その揺動が支持板３２で阻止されるので、トレー１に重量のある商品を載せても、トレー１がぐらつくことなく、安定して支持される。なお、トレー１の底面を後中板４に両面テープで貼り付けておくと、さらに安定性が向上する。
【００２９】
このように、上記陳列具では、後中板４の部分で背壁３を屈伸させて、脚材３１を出没させるだけで、ハンガー状態とカウンター状態との転換を行うことができるので、店頭でのディスプレイ作業を迅速に行うことができ、トレー１，２が安定した状態で商品を陳列することができる。
【００３０】
また、製造に際し、一体となった上下のトレー１，２に脚材３１等を取り付けるだけでよく、作業性に優れ、低コストで製造することができる。
【００３１】
次に、この発明の第２実施形態を図４乃至図６に基づいて説明する。なお、この実施形態に係る陳列具の本体は、上記第１実施形態のものと基本構成が共通するので、対応する部分には同一の符号を付して、その説明を省略する。
【００３２】
この陳列具において使用する脚材３１のブランクは、図４に示すように、脚板３１ｅと支持板３２とを上下に連設すると共に、脚板３１ｅの両側に補強片３１ｆを連設し、脚板３１ｅの上端部及び支持板３２の下端部に糊代３１ａ，３２ａをそれぞれ設け、脚板３１ｅの中央部に係止穴３１ｇを設けたものとされている。また、後中板４の下部には係止片３ａが切込により設けられている。
【００３３】
この陳列具の組み立てに際しては、図５及び図６に示すように、脚材３１の糊代３１ａを後中板４の上部背面に、糊代３２ａを後壁２３の下部背面にそれぞれ貼り付け、補強片３ｆを後方へ折り曲げて、脚板３１ｅを補強する。
【００３４】
そして、ハンガー状態で商品を陳列する際には、図５に示すように、背壁３を垂直に伸ばすと共に、脚板３１ｅと支持板３２とが同一面となるように脚材３１を伸ばして、背壁３の後方に脚材３１を重ねる。
【００３５】
このとき、係止片３ａを係止穴３１ｇに押し込んでおくと、脚材３１が背壁３に係止され、下段側トレー２の揺動が阻止されるので、トレー２に商品を収納したとき、トレー２が前のめりになる現象が防止される。
【００３６】
また、カウンター状態で陳列する際には、係止片３ａと係止穴３１ｇとの係合を解除して、図６に示すように、脚材３１の脚板３１ｅと支持板３２とを屈曲させ、支持板３２を接地させると、上段側のトレー１が安定して支持される。
【００３７】
次に、この発明の第３実施形態を図７乃至図９に基づいて説明する。なお、この実施形態に係る陳列具の本体もまた、上記各実施形態のものと基本構成が共通するので、対応する部分には同一の符号を付して、その説明を省略する。
【００３８】
この陳列具において使用する脚材３１のブランクは、図７に示すように、横方向に延びる帯状部分に、角筒状に折り曲げるための縦方向の罫線と、折り畳みのための縦方向の罫線３１ｈとを入れ、中間の罫線に挟まれた幅広部の上端に糊代３１ａを連設し、係止穴３１ｇをスリット状としたものとされている。
【００３９】
この陳列具の組み立てに際しては、図８及び図９に示すように、脚材３１の帯状部分を折り曲げて、その両端部を貼り合わせることにより角筒状とし、脚材３１の糊代３１ａを二つ折りにして貼り合わせ、上段側トレー１の後壁１３の下部背面に貼り付ける。
【００４０】
そして、ハンガー状態で商品を陳列する際には、図８に示すように、脚材３１を扁平に折り畳んで背壁３の後方に重ね、係止片３ａを係止穴３１ｇに差し込んで、脚材３１を背壁３に係止すると、下段側トレー２の揺動が阻止されるので、トレー２に商品を収納したとき、トレー２が前のめりになる現象が防止される。
【００４１】
また、カウンター状態で陳列する際には、係止片３ａを係止穴３１ｇから引き抜いて、図９に示すように、脚材３１を角筒状に組み立て、その下端を接地させると、上段側のトレー１が安定して支持される。
【００４２】
なお、上記各実施形態では、２段のトレーを備えたものを示したが、３段以上のトレーを備えた陳列具においても、上下に並ぶトレーの後壁が後中板４を介して繋がれた同様の構成を採用することができる。この場合、上方に位置するトレーに取り付ける脚材３１ほど、長いものとする必要がある。
【図面の簡単な説明】
【００４３】
【図１】この発明の第１実施形態に係る陳列具のブランクを示す図
【図２】同上のハンガー状態を示す斜視図
【図３】同上のカウンター状態を示す斜視図
【図４】この発明の第２実施形態に係る陳列具のブランクを示す図
【図５】同上のハンガー状態を示す斜視図
【図６】同上のカウンター状態を示す斜視図
【図７】この発明の第３実施形態に係る陳列具のブランクを示す図
【図８】同上のハンガー状態を示す斜視図
【図９】同上のカウンター状態を示す斜視図
【符号の説明】
【００４４】
１，２  トレー
３  背壁
３ａ  係止片
４  後中板
１１，２１  前壁
１２，２２  側壁
１３，２３  後壁
１４，２４  継代
１５，２５  底壁
３１  脚材
３１ｃ  切込
３１ｅ  脚板
３１ｆ  補強片
３１ｇ  係止穴
３２  支持板
３２ｂ  差込片
【図１】
2006212188.tif 000003
【図２】
2006212188.tif 000004
【図３】
2006212188.tif 000005
【図４】
2006212188.tif 000006
【図５】
2006212188.tif 000007
【図６】
2006212188.tif 000008
【図７】
2006212188.tif 000009
【図８】
2006212188.tif 000010
【図９】
2006212188.tif 000011